(57)【要約】      （修正有）【課題】容器内で噴射剤に含有されていた粉体を容器上端部に設ける粉体供給機構内に収容する。【解決手段】噴射容器の噴射用ステムを押下できる押下部１０の内部には流通路が形成され、この流通路の入口部が噴射用ステムに接続して上方に向う縦方向流通路１５と、これから横方向に折曲する横方向流通路１６から成り、その出口が噴口部１７を成す。この押下部１０の上方部分には、粉体を収容する粉体収容室２０が設けられる。この粉体収容室２０は中心軸１８を中心として回動し、その底面には周方向に複数の貫通孔２４を有す。この中心軸１８にはスクレイパー部２３を設け、このスクレイパー部２３の下面を粉体収容室の底面の貫通孔２４が通過することにより粉体は、このスクレイパー部２３の下方に位置する縦貫通孔２６を介して横方向流通路１６内に落下し、その後押下部１０を押下して噴射容器内の噴射剤を噴射させ、粉体が噴口部１７から噴射される。【選択図】図１
2019006464.tif 000002
【特許請求の範囲】
【請求項１】
内部に噴射剤が収容され、その上端部には開閉バルブを備える噴射容器、又は、内部にエアーが収容されたポンプ式エアー噴射容器の上端に配設された噴射用ステムに接続できる粉体供給機構であって、
この粉体供給機構は、それ自体が前記噴射用ステムを押下することができる押下部と成り、  
この押下部の下方部分の内部には、前記噴射容器内部の噴射剤やエアーが流通する流通路が形成され、この流通路はその入口部が前記噴射用ステムと接続して上方に向って延長する縦方向流通路と、この縦方向流通路から横方向に折曲する横方向流通路から形成され、その出口が噴口部を成し、
この押下部の上方部分には、粉体を収容する粉体収容室が設けられ、
この粉体収容室は、前記押下部の下方部分から上方に起立する中心軸を中心として回動することができ、その底面には前記中心軸の外側の周方向に１又は２以上の貫通孔が形成され、
前記中心軸には、この粉体収容室の底面上で且つ前記横方向流通路の上方で、前記中心軸を中心として所定角度の範囲に渡りスクレイパー部を設け、
このスクレイパー部の下面又は下縁を前記粉体収容室底面の貫通孔が通過することにより粉体は前記貫通孔内に収容されたままの状態で前記スクレイパー部の下面へと移行し、
このスクレイパー部の下方に位置する前記横方向流通路には縦方向に縦貫通孔が設けられており、
前記粉体収容室を操作部材の操作により所定角度回動することにより前記粉体収容室の貫通孔と前記横方向流通路の縦貫通孔とが合致することにより、粉体収容室底面の貫通孔内に収容された所定量の粉体が横方向流通路内に落下し、
その後、押下部を押下して噴射容器内の噴射剤又はエアーを噴射させることにより前記横方向流通路内に落下した粉体が噴口部から外界に噴射されることを特徴とする粉体供給機構。
【請求項２】
前記押下部を上下往復動可能に内部に収容できるカバー部を設け、
このカバー部の下端周縁部が前記噴射容器の上端外周部に係合して装着できるように構成したことを特徴とする請求項１に記載の粉体供給機構。
【請求項３】
前記粉体収容室の底面に周方向同一間隔で６個の貫通孔を設け、前記操作部は前記粉体収容室を略６０度ずつ回動させることができるように構成したことを特徴とする請求項１又は２に記載の粉体供給機構。
【請求項４】
前記粉体収容室の上面部で、その中心部から放射状に６本の突条部を設け、他方前記操作部として前記６本の突条部を横方向から押圧するスライドレバー部を前記押下部の側面から出没自在に設け、
前記スライドレバー部を引き出し且つ没入させる出没一動作によって、前記突条部の一つを略６０度回動させることができることを特徴とする請求項３に記載の粉体供給機構。
【請求項５】
前記粉体収容室の底面に同一間隔に２つの貫通孔を設け、前記粉体収容室の上面部には操作部材として回動自在のダイヤル部材を設け、このダイヤル部材は略１８０度の範囲で往復回動させることができ、
当該略１８０度の角度内でダイヤル部材を回動させることにより前記粉体収納室の底面の貫通孔が横方向流通路の縦貫通孔と合致して、その都度所定量の粉体を横方向流通路内に落下させることができることを特徴とする請求項１又は２に記載の粉体供給機構。
【請求項６】
前記噴射容器が内部に噴射剤が収容されたエアゾール式容器であることを特徴とする請求項１乃至５の何れか１項に記載の粉体供給装置。
【請求項７】
前記噴射容器が内部にエアーが収容されたポンプ式噴射容器であることを特徴とする請求項１乃至５の何れか１項に記載の粉体供給装置。
【発明の詳細な説明】
【技術分野】
【０００１】
本発明は、各種の噴射剤が封入された噴射容器やポンプ式噴射容器の上端部に設けられている噴射用ステムに接続して使用できるものであって、その内部に各種粉体を収容でき、当該粉体の所定量を前記噴射用ステムを押下することによって容器内部の噴射剤やエアーを噴射することにより前記粉体を外界に噴射供給することができる粉体供給機構に関するものである。
【背景技術】
【０００２】
従来の粉体（パウダー）を噴射するためのエアゾール製品としては、下記特許文献に記載のものを挙げることができる。
【０００３】
特許文献１に記載の「定量噴射型エアゾール製品」においては、パウダーが固く凝集することを抑制でき、パウダーを攪拌するための部材を用いることなく、使用によりエアゾール組成物の量が少なくなった場合であっても噴射時にパウダーを良好に再分散させ、所定量のパウダーを含む一定量のエアゾール組成物を噴射できることを課題とする。
【０００４】
その構成は、パウダーと液化ガスとを含むエアゾール組成物とエアゾール容器とから成り、エアゾール容器は、エアゾール組成物が充填される容器本体と、エアゾールバルブとを有し、液化ガスは、６０〜９０容量％のハイドロフルオロオレフィンから成り、エアゾールバルブは、一定量のエアゾール組成物が取り込まれる定量室を有するハウジングを備え、ハウジングは、定量室に取り込まれたエアゾール組成物に含まれるパウダーが貯留されるパウダー貯留部を有するものである。
【０００５】
特許文献２に記載の「エアゾール製品」にあっては、噴射範囲が広いにもかかわらず、パウダーの付着性に優れ、適度な冷却感の付与が可能であり、さらに噴射物が引火した場合も逆火現象が起こりにくく、火気に対する安全性に優れ、環境への負荷が小さいパウダー含有定量噴射型エアゾール製品を提供することを目的とする。
【０００６】
この発明は、パウダーおよびジメチルエーテルを含有するエアゾール組成物が、噴射操作によりエアゾール容器本体内部との連通が遮断されることで噴射量を一定量とする定量室を有するエアゾールバルブと複数の噴射孔を有する噴射部材を備えたエアゾール容器に充填されていることを特徴とするパウダー含有定量噴射型エアゾール製品に係るものである。
【先行技術文献】
【特許文献】
【０００７】
【特許文献１】特開２０１５−２３１８５１号公報
【特許文献２】特開２０１４−８８１８７号公報
【発明の概要】
【発明が解決しようとする課題】
【０００８】
上記の従来の発明においては、その何れもがパウダーが容器内の噴射剤と共に収容されているタイプのものである。
そして、パウダーが噴射剤と共にエアゾール容器内に収容されたタイプのものにあっては、以下の如き問題点が存する。
【０００９】
先ず第一に、パウダー自体の噴射量をより一定とすることに困難性が生じる。例えば、パウダーとして各種の薬剤の投与等の場合を考慮すれば、その一定量の投与が必要となり、この一定量の噴射をより正確に行う必要が生じるからである。
パウダーが噴射剤に含まれたエアゾール製品では、パウダーがステムラバーに噛み込む等の現象が発生し、漏洩等の問題が生じ易い。
定量室を有する定量バルブを使用したパウダー含有エアゾール製品にあっては、定量室のシール性に問題が生じ易い。
【００１０】
上記諸問題を一挙に解決することが本発明の課題であるが、当該課題を解決するために、本発明においては、パウダー格納部をエアゾール容器内の噴射剤と分離することによってその問題の解決を図ったのである。
【課題を解決するための手段】
【００１１】
上記課題を解決するために、本発明の第１のものは、内部に噴射剤が収容され、その上端部には開閉バルブを備える噴射容器、又は、内部にエアーが収容されたポンプ式エアー噴射容器の上端に配設された噴射用ステムに接続できる粉体供給機構であって、この粉体供給機構は、それ自体が前記噴射用ステムを押下することができる押下部と成りこの押下部の下方部分の内部には、前記噴射容器内部の噴射剤やエアーが流通する流通路が形成され、この流通路はその入口部が前記噴射用ステムと接続して上方に向って延長する縦方向流通路と、この縦方向流通路から横方向に折曲する横方向流通路から形成され、その出口が噴口部を成し、この押下部の上方部分には、粉体を収容する粉体収容室が設けられ、この粉体収容室は、前記押下部の下方部分から上方に起立する中心軸を中心として回動することができ、その底面には前記中心軸の外側の周方向に複数の貫通孔が形成され、前記中心軸には、この粉体収容室の底面上で且つ前記横方向流通路の上方で、前記中心軸を中心として所定角度の範囲に渡りスクレイパー部を設け、このスクレイパー部の下面又は下縁を前記粉体収容室底面の貫通孔が通過することにより粉体は前記貫通孔内に収容されたままの状態で前記スクレイパー部の下面へと移行し、このスクレイパー部の下方に位置する前記横方向流通路には縦方向に縦貫通孔が設けられており、前記粉体収容室を操作部材の操作により所定角度回動することにより前記粉体収容室の貫通孔と前記横方向流通路の縦貫通孔とが合致することにより、粉体収容室底面の貫通孔内に収容された所定量の粉体が横方向流通路内に落下し、その後、押下部を押下して噴射容器内の噴射剤又はエアーを噴射させることにより前記横方向流通路内に落下した粉体が噴口部から外界に噴射されることを特徴とする粉体供給機構である。
【００１２】
本発明の第２のものは、上記第１の発明において、前記押下部を上下往復動可能に内部に収容できるカバー部を設け、このカバー部の下端周縁部が前記噴射容器の上端外周部に係合して装着できるように構成したことを特徴とする粉体供給機構である。
【００１３】
本発明の第３のものは、上記第１又は第２の発明において、前記粉体収容室の底面に周方向同一間隔で６個の貫通孔を設け、前記操作部は前記粉体収容室を略６０度ずつ回動させることができるように構成したことを特徴とする粉体供給機構である。
【００１４】
本発明の第４のものは、上記第３の発明において、前記粉体収容室の上面部で、その中心部から放射状に６本の突条部を設け、他方前記操作部として前記６本の突条部を横方向から押圧するスライドレバー部を前記押下部の側面から出没自在に設け、前記スライドレバー部を引き出し且つ没入させる出没一動作によって、前記突条部の一つを略６０度回動させることができることを特徴とする粉体供給機構である。
【００１５】
本発明の第５のものは、上記第１又は第２の発明において、前記粉体収容室の底面に同一間隔に２つの貫通孔を設け、前記粉体収容室の上面部には操作部材として回動自在のダイヤル部材を設け、このダイヤル部材は略１８０度の範囲で往復回動させることができ、当該略１８０度の角度内でダイヤル部材を回動させることにより前記粉体収納室の底面の貫通孔が横方向流通路の縦貫通孔と合致して、その都度所定量の粉体を横方向流通路内に落下させることができることを特徴とする粉体供給機構である。
【００１６】
本発明の第６のものは、上記何れかの発明において、前記噴射容器が内部に噴射剤が収容されたエアゾール式容器であることを特徴とする粉体供給装置である。
【００１７】
本発明の第７のものは、上記第１乃至第５の発明において、前記噴射容器が内部にエアーが収容されたポンプ式噴射容器であることを特徴とする粉体供給装置である。
【発明の効果】
【００１８】
本発明の第１のものにおいては、各種のパウダー（粉体）が噴射容器内の噴射剤と共に収容されておらず、噴射用ステムに接続される押下部の内部に収容されるために、噴射剤に含有された従来タイプのものが有するあらゆる問題を回避することができる。
また、上記構成により、所定量のパウダーを一回の噴射動作で噴射することができ、より正確に１回の噴射パウダー量を決定することもできる。
【００１９】
更に、本発明に係る押下部は、噴射容器として、噴射剤を収容するエアゾール式容器やエアーを収容するポンプ式噴射容器の何れのものにも接続することができる。
この発明に係る粉体供給機構においては、パウダーが収容される粉体収容室が押下部の上方部分で回動自在に設けられており、この所定角度の回動動作により、前記粉体収容室の底面に設けられた貫通孔内に収容された一定量のパウダーがその都度横方向方向流通路内に落下し、より確実に所定量のパウダーが前記横方向流通路の出口である噴口部から外界へ噴射される。
【００２０】
上記粉体収容室を所定角度回動させる操作部材は、各種の形態のものを採用することができるが、この形態は以下の発明で特定することとなる。
例えば、往復動作によるもの、或いは、回動動作による操作部材を利用することができる。
【００２１】
本発明の第２のものにおいては、上記第１の発明における押下部を上下往復動可能に内部に収容できるカバー部を更に付加したものである。
このカバー部の存在により、押下部はカバー部の内部でより適切に上下往復動を行うことができ、即ち、このカバー部は上記押下部のガイドの役目を担い、且つ、噴射容器の上端部のデザインをよりスマートなものとすることができる。
つまり、押下部の下方に見える噴射用ステムを内部に隠すことができ、その全体の形態をスマートな形状とすることが可能となる。
【００２２】
本発明の第３のものにおいては、前記粉体収容室の底面に設けた貫通孔の数を限定し、これによる操作部材の回動角度も所定角度に限定したものである。
即ち、その貫通孔の数を６個とし、その操作部材による回動角度を略６０度に限定したものである。
この貫通孔の数は、２個以上であればよく、この第３の発明はその１つの例示である。
【００２３】
本発明の第４のものにおいては、前記操作部材を特定し、これに応じて操作を受ける粉体収容室の上面部の構成を特定し、前記操作部材であるスライドレバー部の出没一動作によって粉体収容室を略６０度ずつ回動できるようにしたものである。
【００２４】
本発明の第５のものにおいては、上記粉体収容室の底面に設けた貫通孔を２個とし、操作部材としては回動自在のダイヤル部材を設け、このダイヤル部材の略１８０度の往復回動により前記粉体収容室も略１８０度ずつ正逆回動させることができるように構成したものである。
このように、本発明においては、粉体収容室底面に設ける貫通孔は、周方向に同一間隔に２個以上設けて横方向方向流通路の縦貫通孔と合致させて一定量の粉体を噴射させることが可能となるものである。
【００２５】
勿論、上記貫通孔は、１個であってもよいのであるが、１個のみであると、粉体を噴射する度に粉体収容室を略３６０度（１回転）回動させる必要があり、効率が悪いし、これを２個以上設けることにより、当該数で３６０度を分割した角度だけ回動させることによって一定量の粉体を横方向方向流通路内に落下させることができることとなり、便利なものとなる。
【００２６】
本発明の第６のものにおいては、噴射容器としてエアゾール式容器に適用できることを明確にしたものである。
【００２７】
本発明の第７のものにおいては、噴射容器としてポンプ式噴霧容器に適用できることを明確にしたものである。
【図面の簡単な説明】
【００２８】
【図１】本発明の粉体供給機構に係る第１の実施形態を図示しており、その（Ａ）が斜め前方から見た斜視図（キャップ無し）、その（Ｂ）が斜め後方から見た斜視図（キャップ無し）、その（Ｃ）がキャップを付加した状態の中央縦断面図である。
【図２】上記第１実施形態の押下部の上方部分を被覆する被覆部を取り除いた状態を示し、その（Ａ）がスライドレバー部を引き出した状態の縦割り２分割状態の前方方向斜視図、その（Ｂ）が前図の後方方向斜視図、その（Ｃ）が蓋部２１の上面を断面とした平面図である。
【図３】上記第１実施形態の粉体収容室２０の中間部位を断面とした平面図である。
【図４】本発明の粉体供給機構に係る第２実施形態を図示し、その（Ａ）が右斜め前方から見た斜視図、その（Ｂ）が左斜め前方からみた斜視図、その（Ｃ）が正面図、その（Ｄ）が前図（Ｃ）のＤ−Ｄ線断面図である。
【図５】上記第２実施形態の中央縦二分割斜視図である。
【発明を実施するための形態】
【００２９】
以下、添付の図面と共に本発明の実施形態について説明する。
図１は、本発明の粉体供給機構に係る第１の実施形態を図示しており、その（Ａ）が斜め前方から見た斜視図（キャップ無し）、その（Ｂ）が斜め後方から見た斜視図（キャップ無し）、その（Ｃ）がキャップを付加した状態の中央縦断面図である。
【００３０】
図２は、上記第１実施形態の押下部の上方部分を被覆する被覆部を取り除いた状態を示し、その（Ａ）がスライドレバー部を引き出した状態の縦割り２分割状態の前方方向斜視図、その（Ｂ）が前図の後方方向斜視図、その（Ｃ）が蓋部２１の上面を断面とした平面図である。
図３は、上記第１実施形態の粉体収容室２０の中間部位を断面とした平面図である。
【００３１】
本発明に係る粉体供給機構１は、押下部１０と、カバー部１１と、キャップ１２とから成る。
カバー部１１及びキャップ１２は、任意の構成部材である。
押下部１０は、その下方部分１３の底面略中央部には噴射容器の上端に設けられている噴射用ステムと接続するステム接続部１４が設けられている。
【００３２】
ステム接続部１４から上方に延長する縦方向流通路１５が設けられ、この縦方向流通路１５から横方向に折曲する横方向流通路１６が形成されている。
この横方向流通路１６の出口が噴口部１７となる。
また、この横方向流通路１６の中間部で上方向、即ち縦方向に縦貫通孔２６が形成されている。
【００３３】
上記押下部１０の下方部分１３は、平面視略円形形状を有しており、その中心部から上方に向って中心軸１８が起立するように設けられており、この下方部分１３の周縁部には上方に起立する円筒状の壁部１９が形成されている。
【００３４】
上記下方部分１３から上方に起立する上記円筒状の壁部１９の内部空間内の中心には上記した通り中心軸１８が設けられており、この中心軸１８を中心として粉体収容室２０が回動自在に配設されている。
この粉体収容室２０の上面部には、蓋部２１が設けられ、後に説明するが、当該蓋部２１が操作部材であるスライドレバー部３０の操作によってこの蓋部２１が適宜角度ずつ回動されることにより、同時に粉体収容室２０も共に適宜角度ずつ回動する。
【００３５】
上記中心軸１８には、スクレイパー部２３が固定されている。
粉体収容室２０の底面には、上記中心軸１８の外側に同一間隔で６個（図３参照）の貫通孔２４、２４、…が設けられている。
他方、横方向流通路１６の中間部でその上の縦方向に縦貫通孔２６が形成されている。
【００３６】
操作部材としての上記スライドレバー部３０は、押下部１０の上方部分で、前記蓋部２１の上面部の位置に配置され、このスライドレバー部３０は、その後方の両側に形成された一対の突起部３０ｔ、３０ｔを親指と人差し指で把持して、後方に引き出したり、前方に没入させたりすることができる。
【００３７】
この出没一動作によりスライドレバー部３０の下面に設けられている操作突起３１が前記蓋部２１の上面に中心から放射状に６本設けた突条部２７を押し動かして、その結果、蓋部２１及び粉体収容室２０を適宜角度（略６０度）ずつ回動させることができる。
【００３８】
上記スクレイパー部２３は、上記粉体収容室２０の底面の上で、上記中心軸１８に固定され、且つ、横方向方向流通路１６の上方で、上記中心軸１８を中心として扇状に所定角度範囲に渡り形成されている。
換言すると、このスクレイパー部２３は、平面視扇形状のプレート状のもので、中心軸１８に固定され、上記横方向方向流通路１６に設けた縦貫通孔２６の上方に配置されている。
【００３９】
このスクレイパー部２３は、上記した通り、横方向流通路１６の上方で、且つ、粉体収容室２０の底面に設けた貫通孔２４の少なくとも一つを覆い隠す程度の扇状の範囲に設けておけばよい。
添付の図３に示した通り、この第１実施形態では、２個の貫通孔２４、２４を被覆できる範囲にこのスクレイパー部２３を設けている。
【００４０】
押下部１０の下方部分１３の底面部には、粉体供給孔部２９を設け、この粉体供給孔部２９は、上記粉体収容室２０の一つの貫通孔２４の位置と合致するように形成されている。
これにより、押下部１０を噴射用ステムから取り外し、上下逆様にして上記粉体供給孔部２９から前記貫通孔２４を介して粉体を上記粉体収容室２０の内部に収容させることができる。
粉体を収容した後は、上記粉体供給用孔部２９を封止する封止用栓３９を埋め込み封止することができる。
【００４１】
上記の通り、粉体を粉体収容室２０内に封入した後、以下に記載した各パーツの動きにより粉体が噴口部１７から外界に噴射される。
先ず図１の状態においては、操作部材であるスライドレバー部３０は、押下部１０の内部に没入している。この状態においては、粉体収容室２０の底面にある一つの貫通孔２４が横方向流通路１６の縦貫通孔２６と合致している。
【００４２】
この図１の状態からスライドレバー部３０を外部に引き出すと、図２の状態となる。
このとき、スライドレバー部３０の操作突起３１は、粉体収容室２０の上に位置する蓋部２１の上面に設けられている１つの突条部２７を乗り越える。
この乗り越え動作によっても蓋部２１は逆方向に回動しない。というのも、蓋部２１の外周部には係合突起２８が同一間隔に６個設けられ、これと係合する係合ストッパー部２５が押下部１０の壁部１９側に設けられており、この係合ストッパー部２５の存在により蓋部２１及び粉体収容室２０は逆方向（この実施形態では平面視右方向）に回動しないのである。
【００４３】
今度は、図２の状態からスライドレバー部３０を押下部１０の内部の方向に向かって押し込むと、つまり没入させると、スライドレバー部３０の操作突起３１が蓋部２１の突条部２７を左方向に押し動かして蓋部２１及び粉体収容室２０を左に略６０度左回動させることができる。
即ち、図３で説明すると、貫通孔２４ｘが貫通孔２４ｙの位置に回動移動するのである。
【００４４】
この貫通孔２４ｘには、既に粉体が収容されており、この貫通孔２４ｘ内に収容された所定量の粉体は、貫通孔２４ｙの位置に移動し、その下方の縦貫通孔２６を通過して横方向流通路１６内に落下することとなるのである。
その後、押下部１０を下方に押下することにより、噴射容器内の噴射剤が噴射されることによって上記横方向流通路１６内の粉体が外界に噴射されることとなるのである。
【００４５】
次の図４及び図５が本発明の第２の実施形態を図示している。
図４は、本発明の粉体供給機構に係る第２実施形態を図示し、その（Ａ）が右斜め前方から見た斜視図、その（Ｂ）が左斜め前方からみた斜視図、その（Ｃ）が正面図、その（Ｄ）が前図（Ｃ）のＤ−Ｄ線断面図である。
図５は、上記第２実施形態の中央縦二分割斜視図である。
【００４６】
この第２実施形態に係る粉体供給機構は、基本的には上記第１実施形態と同じであるが、貫通孔２４が平面視略１８０度間隔に２個のみ設けられ、粉体収容室２０を回動させる操作部材がダイヤル部材４０から成り、スクレイパー部４３としては、ブロック状の形態を有する点で異なっている。
その他の構成は上記第１実施形態と同じである。
【００４７】
即ち、押下部１０は、その下方部分１３に縦方向流通路１５と横方向流通路１６を有し、その入口部がステム接続部１４となり、その出口が噴口部１７となる。
横方向流通路１６には縦貫通孔２６が設けられ、これに合致する貫通孔２４は、下方部分１３の中心部から起立する中心軸１８を中心として回動する粉体収容室２０の底面に２個、その周方向同一間隔に設けられている。
【００４８】
スクレイパー部４３は、中心軸１８に平面視扇形状の所定範囲にブロック状に設けられ、この部分には粉体は収納されないこととなる。
このようなブロック形態（底面が略扇形の柱状のもの）のスクレイパー部４３は、粉体収納室２０の容積が小さいものでよいときに採用できる。
【００４９】
操作部材としてのダイヤル部材４３は、略１８０度正逆往復回動させることができるように、その外周部から下向きに係合部４０ｋを設け、これに係合する係合受部１０ｋ、１０ｋを押下部１０の外周壁面の２箇所（略１８０度位置）に設け、これらの相互の係合により、略１８０度正逆回動できる。
【００５０】
ダイヤル部材４３は、粉体収容室２０のキャップの役目も担い、このダイヤル部材４３を開放して粉体収容室２０内に各種の粉体を収容することができる。
また、このダイヤル部材４３を略１８０度回動することにより、貫通孔２４と縦貫通孔２６とが合致して貫通孔２４内部に収容された所定量の粉体を横方向流通路１６内に落下させることができるのである。
【００５１】
横方向流通路１６内に粉体を落下させた後に、ダイヤル部材４３の上端部を押下することにより押下部１０も押下され、その下面に接続される噴射用ステムが押下され、噴射容器内の噴射剤等が噴射され、同時に粉体も外部に噴射されることができる。
【００５２】
この第２実施形態におけるスクレイパー部は、内部が空洞のものであってもよく、更には、その底面が開放されたものであってもよい。
内部が空洞で底面が開放されたスクレイパー部にあっては、その側面の壁面の下縁がスクレイパーの機能を果たすことができるからである。
【００５３】
以上、本発明の実施形態について説明したが、本発明においては以下の通り各種設計変更することができる。
先ず本発明に係る粉体供給機構においては、これを取り付ける噴射容器として、エアゾール式噴射容器であっても、またポンプ式噴射容器であってもよい。
【００５４】
噴射剤もエアーを含め、各種のものを採用することができ、噴射される粉体の種類に応じて選択することができる。
カバー部及びキャップは、任意の構成要素であって、本発明にあっては必須の構成要素ではないが、実際の製品化に際しては、適宜必要に応じて、或いは外観を考慮してこれらを組み合わせて構成することが望ましい。
【００５５】
本発明に係る粉体供給機構及びその構成部材の大きさや形状等々については、適宜必要に応じて設計変更することができる。
上記の実施形態では、粉体収容室を回動させる操作部材としてスライドレバー部とダイヤル部材を用いたが、この操作部材としては、これに限られず適宜設計変更して実施することができる。
要するに、粉体収容室を適宜角度回動することができるものであれば、どのような形態のものであってもよい。
【００５６】
粉体収容室底面に設けた貫通孔の数及び大きさも適宜必要に応じて設計変更することができる。
当該数を異ならせることにより、操作部材による回動角度もそれに合致させて設計すればよい。
貫通孔の深さ及び直径を異ならせることにより、必要一定量の粉体の供給量を決定することが可能となる。
【００５７】
スクレイパー部も、粉体収容室底面に設けた貫通孔の少なくとも１つを被覆できる構造であれば、どのようなものであってもよい。
即ち、第１実施形態のようなプレート状のもの、第２実施形態のようなブロック形態のもの、更には、内部が空洞のものや、又は内部が空洞で底面が開放されたものであってもよい。
要するに、このスクレイパー部の作用により、粉体収容室が回動して、粉体収容室底面に設けた１つの貫通孔内に粉体が満杯状態に収容されればよいからである。
【００５８】
以上、本発明においては、粉体収容室を噴射容器の上端部の噴射用ステムに接続する押下部の側に設け、その一定量を押下部の流通路に落下させて前記押下部を押下することにより一定量の各種の粉体を外界に噴射することができ、従来のような噴射剤に含有させたタイプの問題点をほぼ完全に改善した粉体供給機構を提供することができた。
【符号の説明】
【００５９】
１、２  粉体供給機構
１０  押下部
１１  カバー部
１２  キャップ
１３  下方部分（押下部の）
１４  ステム接続部
１５  縦方向流通路
１６  横方向流通路
１７  噴口部
１８  中心軸
１９  壁部
２０  粉体収容室
２１  蓋部
２３、４３  スクレイパー部
２４  貫通孔
２５  係合ストッパー部
２６  縦貫通孔
２７  突条部
２８  係合突起
２９  粉体供給孔
３０  スライドレバー部
３０ｔ  突起部
３１  操作突起
４０  ダイヤル部材
【図１】
2019006464.tif 000003
【図２】
2019006464.tif 000004
【図３】
2019006464.tif 000005
【図４】
2019006464.tif 000006
【図５】
2019006464.tif 000007